(57)【要約】【課題】狭いスペースに長い研磨テープを収容でき、かつ取り替えが簡単なフイルムホルダ一体型カセットシューを提供。【解決手段】１対の平行アーム１、２の間に嵌合せ可能なシューフレーム３と、嵌合せたシューフレーム３を平行アーム１、２に固定する固定装置である上側アーム１に固定された手動ノッチ１１を有する。シューフレーム３は、シューフレーム３にそれぞれ固定したシュー４、１対のフイルムガイドローラ５、６、フイルムガイド穴１８、１９、ほぼ中央に１対の軸受け部２０、２０と軸受け部から平行に半径方向上方に延びる溝２１とを有する側板７、７及び側板に回転可能に支持された回転軸２２に固定されたフイルム残量検知用ドグである歯車８、を有し、軸受け部２０、２０に研磨材被覆フイルム１２の１端を付着したフイルム巻取筒２３に通した軸１０が回転可能に支持される。【選択図】図１
2005125424.tif 000002
【特許請求の範囲】
【請求項１】
１対の平行アームの間に嵌合せ可能なシューフレームと、嵌合せたシューフレームを前記平行アームに固定する固定装置を有し、前記シューフレームはシューフレームにそれぞれ固定した、シュー、１対のフイルムガイドローラ、１対のフイルムガイド穴、ほぼ中央に１対の軸受け部と軸受け部から平行に半径方向上方に延びる溝とを有する側板及び前記側板に回転可能に支持された回転軸に固定されたフイルム残量検知用ドグである歯車、を有し、前記軸受け部に研磨材被覆フイルムの１端を付着したフイルム巻取筒に通した軸が回転可能に支持され、前記フイルム巻取筒に巻かれたフイルムの他端を、前記回転軸に押しつけるよう接触させた後、前記１対のフイルムガイド穴の一方、前記１対のフイルムガイドローラ、前記１対のフイルムガイド穴の他方、を介して前記側板下端に設けたワンウエイクラッチに引っ張られた後、前記側板外に引きだされるようにされており、前記平行アームの一方には前記フイルム残量検知用ドグである歯車を磁器検知するフイルム残量検知用近接スイッチが設けられたことを特徴とするフイルムホルダ一体型カセットシュー。
【請求項２】
前記固定装置は手動シュー固定用ノッチ又は固定用ノッチ用シリンダのロッドに固定されたシリンダ駆動シュー固定用ノッチであることを特徴とする請求項１記載のフイルムホルダ一体型カセットシュー。
【発明の詳細な説明】
【技術分野】
【０００１】
本発明は研磨材被覆フイルムを使用したフイルムラップ装置のフイルムホルダ一体型カセットシュー関する。
【背景技術】
【０００２】
従来のかかる研磨材被覆フイルムを使用したフイルムラップ装置のフイルムホルダ一体型カセットシューとしては、例えば特許文献１に開示するような、１対の平行アームの先端部にそれぞれカートリツジ格納室を形成し、各カートリツジ格納室に各カートリツジをそれぞれ、互いに対向させて格納するものが開示されている。各カートリツジは、研磨テープをテープ供給リールとテープ巻取リールとに巻き付けることによって保持するとともに、研磨テープをワークに押圧するシューをそなえたものとされる。
【特許文献１】特開平８−２５７８８９号公報  要約、図６
【発明の開示】
【発明が解決しようとする課題】
【０００３】
かかる従来のフイルムホルダ一体型カセットシューは、狭いスペースにテープ供給リールとテープ巻取リールとを設けたので、長い研磨テープを収容できず、頻繁な取り替えが必要であり手間とコストがかかり、長い研磨テープを収容するようにするとスペースが大きく実用に供することができなかった。
【０００４】
本発明の課題は、狭いスペースに長い研磨テープを収容でき、かつ取り替えが簡単な手間とコストがかからないフイルムホルダ一体型カセットシューを提供することにある。
【課題を解決するための手段】
【０００５】
このため本発明は１対の平行アームの間に嵌合せ可能なシューフレームと、嵌合せたシューフレームを前記平行アームに固定する固定装置を有し、前記シューフレームはシューフレームにそれぞれ固定した、シュー、１対のフイルムガイドローラ、１対のフイルムガイド穴、ほぼ中央に１対の軸受け部と軸受け部から平行に半径方向上方に延びる溝とを有する側板及び前記側板に回転可能に支持された回転軸に固定されたフイルム残量検知用ドグである歯車、を有し、前記軸受け部に研磨材被覆フイルムの１端を付着したフイルム巻取筒に通した軸が回転可能に支持され、前記フイルム巻取筒に巻かれたフイルムの他端を、前記回転軸に押しつけるよう接触させた後、前記１対のフイルムガイド穴の一方、前記１対のフイルムガイドローラ、前記１対のフイルムガイド穴の他方、を介して前記側板下端に設けたワンウエイクラッチに引っ張られた後、前記側板外に引きだされるようにされており、前記平行アームの一方には前記フイルム残量検知用ドグである歯車を磁器検知するフイルム残量検知用近接スイッチが設けられたことを特徴とするフイルムホルダ一体型カセットシューを提供することによって上記した従来製品の課題を解決した。
【発明の効果】
【０００６】
本発明のフイルムホルダ一体型カセットシューは、１対の側板のほぼ全体を使用して研磨材被覆フイルム巻取筒に通した軸が回転可能に支持されるようにし、巻き取りローラを不要にしたので、狭いスペースに長い研磨テープを収容でき、かつ側板軸受け部に引掛けるようにしてフイルム巻取筒に通した軸を取り付けるので、ワンタッチで新しいフイルムが巻かれた新しいフイルム巻取筒への取り替えが簡単にでき、手間とコストがかからないフイルムホルダ一体型カセットシューを提供するものとなった。
【０００７】
好ましくは、前記固定装置は手動シュー固定用ノッチ又は固定用ノッチ用シリンダのロッドに固定されたシリンダ駆動シュー固定用ノッチとすることにより、フイルムホルダ一体型カセットシュー取り替え装置を連設して、シューフレームにそれぞれ固定したシューと共にフイルムホルダ一体型カセットシュー全体を自動取り替えすることができる。
【発明を実施するための最良の形態】
【０００８】
本発明を実施するための最良の形態の一例を図１を参照して説明する。図１（ａ）は本発明を実施するための最良の形態のフイルムホルダ一体型カセットシューの概略要部部分側面図で、（ｂ）は（ａ）左側面正面を示す。図１に示すように、本発明のフイルムホルダ一体型カセットシューの要部は、１対の平行アーム１、２の間に嵌合せ可能なシューフレーム３と、嵌合せたシューフレーム３を平行アーム１、２に固定する上側アーム１に固定された固定装置である手動ノッチ１１を有する。シューフレーム３は、シューフレーム３にそれぞれ固定したシュー４、１対のフイルムガイドローラ５、６、フイルムガイド穴１８、１９、ほぼ中央に１対の軸受け部２０、２０と軸受け部２０、２０から平行に半径方向上方に延びる溝２１とを有する側板７、７及び側板に回転可能に支持された回転軸２２に固定されたフイルム残量検知用ドグである歯車８、を有し、軸受け部２０、２０に研磨材被覆フイルム１２の１端を付着したフイルム巻取筒２３に通した軸１０が回転可能に支持され、フイルム巻取筒２３に巻かれたフイルム１２の他端を、回転軸２２に押しつけるよう接触させた後、フイルムガイド穴の一方１８、１対のフイルムガイドローラ５、６、フイルムガイド穴の他方１９、を介して側板７、７下端に設けたワンウエイクラッチ９に引っ張られた後、側板７、７外に引きだされるようにされており、平行アームの一方１にはフイルム残量検知用ドグである歯車を磁器検知するフイルム残量検知用近接スイッチ１３が設けられている。側板７、７外に引きだされるようにされフイルムは図示しないフイルム回収装置により引き込まれ、Ａ点で図示しないフイルム切断装置により切断される。２４はシューフレーム３の上下に取り付けられたガイド材で、平行アーム１、２のガイド溝２５、２５と嵌合される。ワンウエイクラッチ９は巻き取る向きの回転のみ許容し、逆方向の回転を阻止しフイルムのゆるみを防止する。
【０００９】
作動においては、新しいフイルム１２が巻かれた新しいフイルム巻取筒２３に通した軸１０を軸受け部２０、２０に取り付け、フイルム巻取筒２３に巻かれたフイルム１２の他端を、回転軸２２に押しつけるよう接触させた後、フイルムガイド穴１８、１対のフイルムガイドローラ５、６、フイルムガイド穴１９を介して側板７、７下端に設けたワンウエイクラッチ９に引っ張られた後、側板７、７外に引き出し、引き出したフイルム１２はＡの位置で図示しないフイルム切断装置で切断されるようにして使用する。フイルム残量検知用ドグである歯車８を磁器検知するフイルム残量検知用近接スイッチ１３の検知信号がなくなったときフイルム巻取筒２３に巻かれたフイルム１２がなくなったものとして次の新しいフイルム１２が巻かれた新しいフイルム巻取筒２３に取り替えるようにされている。
【００１０】
図２は図１とは異なる実施の形態のフイルムホルダ一体型カセットシューの概略要部部分側面図で、固定装置は図１の手動シュー固定用ノッチに代わり固定用ノッチ用シリンダ１５のロッド２６に固定されたシリンダ駆動シュー固定用ノッチ１４としたものである。これにより、図示しないフイルムホルダ一体型カセットシュー取り替え装置を連設して、シューフレームにそれぞれ固定したシューと共に、フイルムホルダ一体型カセットシュー全体を自動取り替えすることができる。１７はフイルム回収装置で、Ｂの位置に配置され、フイルムはＣの位置で図示しないフイルム切断装置で切断される。
〔本発明の最良の実施形態の効果〕
【００１１】
本発明のフイルムホルダ一体型カセットシューは、１対の側板のほぼ全体を使用して研磨材被覆フイルム巻取筒に通した軸が回転可能に支持されるようにし、巻き取りローラを不要にしたので、狭いスペースに長い研磨テープを収容でき、かつ側板軸受け部に引掛けるようにしてフイルム巻取筒に通した軸を取り付けるので、ワンタッチで新しいフイルムが巻かれた新しいフイルム巻取筒への取り替えが簡単にでき、手間とコストがかからないフイルムホルダ一体型カセットシューを提供するものとなった。
【図面の簡単な説明】
【００１２】
【図１】（ａ）は本発明を実施するための最良の形態のフイルムホルダ一体型カセットシューの概略要部部分側面図で、（ｂ）は（ａ）左側面正面を示す。
【図２】図１とは異なる実施の形態のフイルムホルダ一体型カセットシューの概略要部部分側面図である。
【符号の説明】
【００１３】
１、２  １対の平行アーム
３  シューフレーム
４  シュー
５、６  フイルムガイドローラ
７  側板
８  フイルム残量検知用ドグである歯車
９  ワンウエイクラッチ
１０  研磨材被覆フイルム巻取筒に通した軸
１２  研磨材被覆フイルム
１１  手動ノッチ（固定装置）
１３  フイルム残量検知用近接スイッチ
１４  シリンダ駆動シュー固定用ノッチ（固定装置）
１５  固定用ノッチ用シリンダ
１８、１９  フイルムガイド穴
２０  軸受け部
２１  半径方向上方に延びる溝
２２  歯車回転軸
２３  研磨材被覆フイルム巻取筒
【図１】
2005125424.tif 000003
【図２】
2005125424.tif 000004